(57)【要約】【課題】アンテナ装置と基板における端子同士の接続性の適正化とともに筐体および基板に対する設置機能の向上および筐体内部に対するアンテナ装置の設置構造の簡易化を図る。【解決手段】アンテナ装置（６、４２）と、筐体（背面ケース１２）とを備える。アンテナ装置は、少なくとも伸縮方向に弾性変形可能なアンテナ支持部（１８、押圧支持部４６）によって支持されたアンテナエレメント（１４）を備える。筐体は、アンテナエレメントの端子部（１６）に接触して導通させる基板（８）に対向して、アンテナ装置に接触する。そして、アンテナ装置は、筐体と基板との間で押圧されてアンテナ支持部が弾性変形して、筐体と基板に圧着する。【選択図】  図１
2014110617.tif 000002
【特許請求の範囲】
【請求項１】
少なくとも伸縮方向に弾性変形可能なアンテナ支持部によって支持されたアンテナエレメントを備えるアンテナ装置と、
前記アンテナエレメントの端子部に接触して導通させる基板に対向して、前記アンテナ装置に接触する筐体と、
を備え、
前記アンテナ装置は、前記筐体と前記基板との間で押圧されて前記アンテナ支持部が弾性変形して、前記筐体と前記基板に圧着する、
ことを特徴とする通信端末装置。
【請求項２】
前記筐体は、前記アンテナ支持部に対し、前記アンテナエレメントの前記端子部側およびその周囲部分を押圧することを特徴とする、請求項１に記載の通信端末装置。
【請求項３】
更に、前記筐体には、前記アンテナ装置の一部または全部に接触して係止する係止手段が形成され、
前記アンテナ装置は、前記係止手段内に圧入されることを特徴とする、
請求項１または請求項２に記載の通信端末装置。
【請求項４】
端子部およびアンテナパターンが形成されたアンテナエレメントと、
少なくとも伸縮方向に弾性変形可能な部材で構成され、アンテナエレメントに沿って設置され、または周囲を覆うアンテナ支持部と、
を備え、
前記アンテナエレメントの前記端子部に接触して導通させる端子部品と、該端子部品に対向して配置されて前記アンテナ支持部に接触する接触部品との間で押圧されて、前記接触部品と前記端子部品とに圧着する、
ことを特徴とするアンテナ装置。
【請求項５】
少なくとも伸縮方向に弾性変形可能なアンテナ支持部によって支持されたアンテナエレメントを備えるアンテナ装置と、
前記アンテナエレメントの端子部に接触して導通させる基板に対向して、前記アンテナ装置に接触する筐体と、
を備え、
前記アンテナ装置は、前記筐体と前記基板との間で押圧されて前記アンテナ支持部が弾性変形して、前記筐体と前記基板に圧着する、
ことを特徴とする電子機器。
【発明の詳細な説明】
【技術分野】
【０００１】
本発明は、たとえば携帯電話機などの筐体内部にアンテナを設置する通信端末装置、アンテナ装置および電子機器に関する。
【背景技術】
【０００２】
携帯電話機などの通信端末装置では、たとえばプレス加工やエッチング加工された板金のアンテナエレメントをモールド樹脂などに埋め込んで一体化したアンテナ装置を筐体内部に設置した内蔵アンテナが用いられている。このような内蔵アンテナは、たとえば携帯電話機などのデザイン性の向上などを目的として利用されている。内蔵アンテナは、たとえば通信端末装置の筐体の内壁面側に沿って設置されており、内蔵アンテナに形成された端子を基板上の端子と接続させることで、通信を行っている。
【０００３】
このような内蔵アンテナを備える通信端末装置に関し、たとえば筐体内部に設置されたフレキシブルプリント基板上にアンテナ部が形成され、ケースの内壁面に沿って折曲げ状態で配置されるものがある（例えば、特許文献１）。
【先行技術文献】
【特許文献】
【０００４】
【特許文献１】特開２０１１−３５８２２号公報
【発明の概要】
【発明が解決しようとする課題】
【０００５】
ところで、通信端末装置に内蔵されるアンテナ装置は、たとえば筐体内に設置された基板に形成される端子に対してアンテナ装置の端子部を接触させることで電気的に接続させている。この基板の端子には、たとえば通信端末装置の筐体に設置されるアンテナ装置と接触させるために、基板上部側に突出させた弾性端子部品を利用するものがある。この弾性端子部品は、たとえば基板の端子と一体に成形され、または端子上にはんだなどで設置されている。
【０００６】
アンテナ装置は、たとえば端子部が硬質樹脂部品に埋め込まれており、筐体側に対して硬質樹脂部品の一部で固定されている。この硬質樹脂部品は、たとえばＡＢＳ（Acrylonitrile Butadiene Styrene）や、ＰＣ（Polycarbonate）、ＰＰＳ（Poly Phenylene Sulfide）、液晶ポリマなどで構成されており、外部からの圧力に対して変形量は少ない。そのため、通信端末装置では、たとえば弾性端子部品によりアンテナ装置に対して接触させる構造により、アンテナ装置の大きさの誤差や筐体に対するアンテナ装置の設置状態などの影響を減少させている。
【０００７】
しかし、このようなアンテナ装置の接続では、アンテナ装置と基板との間に弾性端子部品の突出分の空間が必要であり、通信端末装置の薄型化や小型化を阻害するという課題がある。
【０００８】
また、内蔵アンテナの設置手段には、たとえば内蔵アンテナを筐体の背面側に配置させて、両面テープなどの接着部材を介在させるものや、基板側から設置されたネジなどの締結部品を貫通させて筐体との間に挟んで固定するものがある。このようなアンテナ装置の設置は、通信端末装置の部品数や組立て工数を増加させるという課題がある。
【０００９】
そのほか、通信端末装置は、たとえばアンテナ装置を基板から離れた位置に設置した場合、アンテナ装置の端子と基板との端子とを接続させる部品が別途必要になるとともに、筐体内部の配置構造を複雑化させることになる。
【００１０】
そこで、本開示の通信端末装置、アンテナ装置および電子機器の目的は、上記課題に鑑み、アンテナ装置と基板における端子同士の接続性の適正化とともに筐体および基板に対する設置機能の向上を図ることにある。
【００１１】
また本開示の通信端末装置、アンテナ装置および電子機器の他の目的は、筐体内部に対するアンテナ装置の設置構造の簡易化を図ることにある。
【課題を解決するための手段】
【００１２】
上記目的を達成するため、本開示の構成の一側面は、アンテナ装置と、筐体とを備える。アンテナ装置は、少なくとも伸縮方向に弾性変形可能なアンテナ支持部によって支持されたアンテナエレメントを備える。筐体は、前記アンテナエレメントの端子部に接触して導通させる基板に対向して、前記アンテナ装置に接触する。そして、前記アンテナ装置は、前記筐体と前記基板との間で押圧されて前記アンテナ支持部が弾性変形して、前記筐体と前記基板に圧着する。
【発明の効果】
【００１３】
本開示の通信端末装置、アンテナ装置または電子機器発明によれば、次のいずれかの効果が得られる。
【００１４】
(1)   アンテナ支持部を弾性変形させて基板側に押圧されることで、アンテナ装置の端子部と基板の端子とを圧接でき、アンテナの接続性を向上させることができる。
【００１５】
(2)  弾性変形したアンテナ支持部を介してアンテナ装置が基板と筐体との間に密着状態となり、端子を接続させたアンテナ装置の設置状態を維持させることができる。
【００１６】
(3)  アンテナ装置の端子部を基板の端子に直接接触させることで、アンテナ装置の設置高さを抑えることができ、通信端末装置の薄型化を図ることができる。
【００１７】
(4)  基板および筐体に対してアンテナ支持部が密着してアンテナ装置が支持されることで、別途固定手段などの設置が不要であり、設置構造および設置処理の簡易化を図ることができる。
【００１８】
そして、本発明の他の目的、特徴および利点は、添付図面および各実施の形態を参照することにより、一層明確になるであろう。
【図面の簡単な説明】
【００１９】
【図１】第１の実施の形態に係る通信端末装置の構成例を示す図である。
【図２】通信端末装置の組立て処理例を示すフローチャーチである。
【図３】第２の実施の形態に係る通信端末装置の構成例を示す図である。
【図４】アンテナ装置の設置状態の一例を示す図である。
【図５】通信端末装置の組立て処理の他の一例を示すフローチャートである。
【図６】第３の実施の形態に係る通信端末装置の構成例を示す図である。
【図７】アンテナ装置の構成例を示す図である。
【図８】アンテナ装置の外観構成例を示す図である。
【図９】背面ケースにアンテナ装置を設置した状態例を示す図である。
【図１０】押圧前のアンテナ装置と基板との接触状態例を示す図である。
【図１１】前面ケースと背面ケースとが接合された状態例を示す図である。
【図１２】第４の実施の形態に係る通信端末装置の構成例を示す図である。
【図１３】アンテナ装置の構成例を示す図である。
【図１４】アンテナ収納部の一例を示す図である。
【図１５】背面ケースにアンテナ装置を設置した状態例を示す図である。
【図１６】前面ケースの一例を示す図である。
【図１７】その他の実施の形態に係る通信端末装置の構成例を示す図である。
【図１８】その他の実施の形態に係る通信端末装置の構成例を示す図である。
【発明を実施するための形態】
【００２０】
〔第１の実施の形態〕
【００２１】
図１は、第１の実施の形態に係る通信端末装置の構成例を示している。図１に示す構成は一例であり、本発明が斯かる構成に限定されるものではない。
【００２２】
図１に示す通信端末装置２は、本開示の通信端末装置および電子機器の一例であり、たとえば携帯電話機や携帯情報端末装置、無線通信可能なＰＣ（Personal Computer）、携帯ゲーム機などを含む。この通信端末装置２は、たとえば無線通信手段として外装ケース４の一部にアンテナ装置６が内蔵されている。そのほか通信端末装置２は、たとえば通信端末装置２の機能部品やアンテナ装置に接続させる端子などを実装した基板８を備えている。
【００２３】
この通信端末装置２では、たとえばアンテナ装置６を外装ケース４の一部と基板８との間で挟持することで、アンテナ装置６を外装ケース４内に固定させるとともに、基板８との接触状態を維持させている。
【００２４】
外装ケース４は、内部に通信端末装置２の機能部品を収納する収納ケースの一例であり、たとえば通信端末装置２の前面側を覆う前面ケース１０と、背面側を覆う背面ケース１２とが重ね合わされている。前面ケース１０は、たとえば背面ケース１２との対向面側に基板８が設置されるほか、前面側に図示しない表示装置や操作キーなどが配置される。また背面ケース１２は、本開示の筐体の一例であり、アンテナ装置６の一部に対する接触部品として機能する。この背面ケース１２は、前面ケース１０に対向する内面側をアンテナ装置６の一面側に接触させる。つまり背面ケース１２は、前面ケース１０に設置される基板８の対向側でアンテナ装置６の一面に接触して、アンテナ装置６を基板８との間に挟み込んでいる。
【００２５】
＜アンテナ装置の構成例について＞
【００２６】
アンテナ装置６は、本開示のアンテナ装置の一例であり、たとえば音声通話機能に利用される通話アンテナで構成される。また、アンテナ装置６は、たとえばパケット通信やＷｉ−Ｆｉ（Wireless Fidelity）規格などの無線ＬＡＮ（Local Area Network）、またはBluetooth（登録商標）規格や赤外線通信など近距離無線通信に利用されるデータ通信アンテナであってもよい。
【００２７】
アンテナ装置６は、たとえばアンテナエレメント１４と、基板８に接触させる端子部１６と、アンテナエレメント１４や端子部１６を支持するアンテナ支持部１８で構成されている。アンテナエレメント１４は、たとえば銅製の板金などの導体であり、通信に利用される周波数帯域などに応じて、所定の長さや形状でアンテナパターンが形成されている。アンテナ装置６は、たとえばアンテナエレメント１４が単数または複数本で構成されている。このアンテナエレメント１４は、たとえばモノポールアンテナで、パッチアンテナ、その他のアンテナを形成している。またアンテナエレメント１４は、たとえばフレキシブルプリント基板上に形成されてもよい。
【００２８】
端子部１６は、基板８に設置された端子２０に接触させることで、アンテナエレメント１４を基板８と電気的に導通させる手段の一例であり、アンテナエレメント１４の一端側に形成される。端子部１６は、たとえばアンテナエレメント１４と一体に形成され、または別部品がアンテナエレメント１４に接続されて構成している。この端子部１６は、たとえば一部または全部が基板８への接触方向に向けて弾性変形する板バネ状に形成されている。
【００２９】
アンテナ支持部１８は、アンテナエレメント１４および端子部１６の外部に接触して支持する手段の一例であり、たとえばアンテナエレメント１４の一面に沿って設置され、またはその周囲を覆って配置されるとともに、端子部１６を内部に収納している。この端子部１６は、たとえばアンテナ装置６が外装ケース４の内部、または基板８上に設置される前に、アンテナ支持部１８から一部を突出させてもよい。アンテナ支持部１８は、たとえばシリコンやゴムなどの絶縁性の樹脂部材で形成されており、少なくとも基板８と背面ケース１２との間で少なくとも伸縮方向に弾性変形可能である。
【００３０】
また、アンテナ支持部１８は、たとえばその周囲に設置され、または内部に収納したアンテナエレメント１４や端子部１６を保持する強度を備えている。アンテナ装置６は、たとえばこのアンテナ支持部１８の伸縮方向の復元力や強度により、基板８と背面ケース１２との間で、アンテナエレメント１４や端子部１６の形状を一定に維持している。またはアンテナ装置６は、たとえば基板８と背面ケース１２との接触によって圧縮変形した時にアンテナエレメント１４や端子部１６を設定した形状に変形させるようにしてもよい。
【００３１】
なお、このアンテナ支持部１８は、単一部材に限られず、たとえばアンテナエレメント１４に対する電波干渉を防止してアンテナ特性を高めるために、フィラーなどの高誘電率材を添加してもよい。
【００３２】
基板８は、本開示の基板またはアンテナエレメント１４の端子部１６に接触して導通させる端子部品の一例である。そのほか、この基板８には、たとえば通信端末装置２を動作させる実装部品として、コンピュータを構成する図示しないプロセッサや記憶手段などを備えている。また、ＲＦ（Radio Frequency）部や整合回路などが実装されてもよい。基板８は、たとえば前面ケース１０側にネジや爪嵌合部などによって設置されている。また、基板８は、たとえば前面ケース１０に対して平行に配置されており、前面ケース１０と背面ケース１２とが接合した場合、背面ケース１２との間の距離が一定に保持される。前面ケース１０の背面部に対し、基板８の大きさは任意に設定されればよく、たとえばアンテナ装置６の配置範囲に合わせた大きさに設定してもよい。また通信端末装置２は、たとえば機能部品が実装される基板８が単一の場合に限られず、外装ケース内の他の機能部品との配置関係などに基づき、複数の基板が設置されてもよい。
【００３３】
＜アンテナ装置の実装状態について＞
【００３４】
アンテナ装置６は、たとえば端子部１６が配置された下面側が基板８上に設置され、上面側が背面ケース１２の内面に接触されている。そして、前面ケース１０と背面ケース１２とが接合されると基板８と背面ケース１２との間の空間部の厚さｄがアンテナ装置６の厚さＤよりも狭小になり、アンテナ装置６は、たとえば基板８と背面ケース１２との間で上下方向から押圧される。アンテナ支持部１８に対する押圧は、たとえば少なくともアンテナエレメント１４の端子部１６の上下位置およびその周囲部が含まれる。このときアンテナ支持部１８は、たとえば圧縮変形するとともに復元力が作用することで、基板８と背面ケース１２とに密着状態となる。つまりアンテナ装置６は、背面ケース１２と、基板８および前面ケース１０との間に挟持される。
【００３５】
アンテナ支持部１８は、たとえば基板８と背面ケース１２からの押圧に対して弾性変形することで、アンテナエレメント１４や端子部１６が過度な押圧によって破損するのを防止している。このアンテナ支持部１８は、たとえば設置される空間部の厚さｄに応じてアンテナ装置６の厚さＤが設定され、または利用される弾性樹脂部材の圧縮性や硬度が選択されている。
【００３６】
アンテナ装置６は、基板８への設置時に端子部１６が基板８上に形成された端子２０と接触するように配置されている。そして、アンテナ支持部１８が押圧されると、端子部１６は、たとえば基板８が密着するように押し付けられるとともに、背面側から基板８に向けて押し付けられることで端子２０と接触状態となる。また、端子部１６は、たとえば背面ケース１２側からの押圧力と、基板８側からの押圧力に対して板バネが変形することで、復元力により端子２０との接触状態が維持される。
【００３７】
なお、アンテナ装置６は、たとえば背面ケース１２と基板８とに対し、全面が押圧される場合に限られず、たとえばアンテナ支持部１８の一部のみが押圧される構造にしてもよい。この場合、背面ケース１２は、たとえばアンテナ支持部１８との接触部分を平面にせず、一部を突出させた押圧部を形成してもよい。
【００３８】
＜通信端末装置の組立て処理例について＞
【００３９】
図２は、通信端末装置の組立て処理例を示している。図２に示す処理内容、処理手順は一例である。
【００４０】
図２に示す処理手順は、本開示の通信端末装置および電子機器の製造方法の一例である。組立て処理では、たとえば前面ケース１０に対して基板８を設置し（Ｓ１）、この基板８の端子２０に合わせてアンテナ装置６が設置される（Ｓ２）。そして、基板８上にアンテナ装置６が設置された前面ケース１０に対して背面ケース１２を設置させる（Ｓ３）。これにより、アンテナ装置６は、背面ケース１２と基板８との間で押圧されて密着状態となる。
【００４１】
なお、アンテナ装置６は、たとえば基板８が前面ケース１０に設置される前に設置してもよい。また、アンテナ装置６を実装した基板８を背面ケース１２側に設置したのち、前面ケース１０と背面ケース１２とを接合させてもよい。この場合、基板８は、たとえば背面ケース１２に対してネジなどで締結させる構造をとればよい。
【００４２】
斯かる構成によれば、アンテナ支持部１８を弾性変形させて基板８側に押圧されることで、アンテナ装置６の端子部１６と基板８の端子２０とを圧着させ、アンテナの接続性が高められる。弾性変形したアンテナ支持部１８を介してアンテナ装置６が基板８と外装ケース４との間に密着状態となり、端子部１６を接続させたアンテナ装置６の設置状態を維持させることができる。アンテナ装置６の端子部１６を基板８の端子２０に直接接触させることで、アンテナ装置６の設置高さが抑えられ、通信端末装置２の薄型化が図れる。基板８および外装ケース４に対してアンテナ支持部１８が密着してアンテナ装置６が支持されることで、ネジなどを用いてアンテナ装置６を固定する必要がなく、設置構造および設置処理の簡易化が図れる。
【００４３】
〔第２の実施の形態〕
【００４４】
図３は、第２の実施の形態に係る通信端末装置の内部構成例を示している。図３に示す構成は一例である。
【００４５】
図３に示す通信端末装置２は、本開示の通信端末装置および電子機器の一例であり、たとえば背面ケース１２の内側に、アンテナ装置６の外周側に対する支持構造が形成されている。背面ケース１２には、たとえばアンテナ装置６を収納する収納凹部３０が形成されている。この収納凹部３０は、本開示の係止手段の一例であり、たとえばアンテナ装置６の一部または全部に接触して係止させる。収納凹部３０は、たとえば前面ケース１０との対向面側の一部であり、アンテナ装置６の一面と接触させる部分に形成される。
【００４６】
収納凹部３０は、たとえば背面ケース１２側において、アンテナ装置６との接触位置の周囲に立設された立壁部３２で構成され、この立壁部３２の内側にアンテナ装置６の側面を接触させている。立壁部３２は、たとえば背面ケース１２と同一部材で一体に成形してもよく、または単数または複数の別部材を設置してもよい。
【００４７】
収納凹部３０の凹部内の大きさは、たとえばアンテナ装置６の縦幅Ｌ１と同等または狭小な幅Ｌ２で形成されている。また収納凹部３０の凹部内の大きさは、たとえばアンテナ装置６の横幅Ｗ１と同等または狭小な横幅Ｗ２で形成されている。つまりアンテナ装置６は、たとえば背面ケース１２との接触面側の面積が収納凹部３０を構成する立壁部３２の開口面積に対して同等または大きく、収納凹部３０内に圧入される。
【００４８】
そしてアンテナ装置６は、たとえば図４に示すように背面ケース１２と前面ケース１０との接合により、背面ケース１２と基板８との間で押圧されてアンテナ支持部１８が圧縮するとともに、周囲側が立壁部３２に接触して収納凹部３０内に係止される。
【００４９】
＜通信端末装置の組立て処理の他の例について＞
【００５０】
図５は、通信端末装置の組立て処理の他の一例を示している。図５に示す処理内容、処理手順は一例である。
【００５１】
図５に示す処理手順は、本開示の通信端末装置および電子機器の製造方法の一例である。組立て処理では、たとえば前面ケース１０に対して基板８を設置する（Ｓ１１）。アンテナ装置６は、たとえば背面ケース１２側の収納凹部３０に対して設置され（Ｓ１２）、背面ケース１２と前面ケース１０とを接合させる（Ｓ１３）。これにより、アンテナ装置６は、背面ケース１２と基板８との間で押圧されて密着状態となる。
【００５２】
斯かる構成によれば、アンテナ装置６が収納凹部３０内に圧入されることで、設定された位置に設置される。そしてアンテナ装置６の端子部１６を基板８の端子２０側との接触位置に配置させることができる。弾性部材を介してアンテナ装置６が背面ケース１２と基板８とに圧着させて固定されることで、通信端末装置２の外部からの振動や圧力がアンテナエレメント１４側に過大に加えられるのを防止でき、基板８に対するアンテナ装置６のずれや、衝撃による損傷などを防止できる。アンテナ装置６の端子部１６を基板８の端子２０に直接接触させることで、アンテナ装置６の設置高さを抑えることができ、通信端末装置２の薄型化を図ることができる。
【００５３】
〔第３の実施の形態〕
【００５４】
図６は、第３の実施の形態に係る通信端末装置の構成例を示している。図６に示す構成は一例である。
【００５５】
図６に示す通信端末装置４０は、たとえばアンテナ装置４２を背面ケース１２と基板８との間に圧接させる構造に関し、アンテナ装置４２の一部を押圧し、その他の部分を押圧させない、もしくは押圧力を軽減させる構造を備えている。アンテナ装置４２は、たとえば通信端末装置４０の端面側に配置され、アンテナエレメント１４（図７）を支持する固定支持部４４と、通信端末装置４０の内部側に配置されて、端子部１６（図７）を支持する押圧支持部４６とを備えている。固定支持部４４は、たとえば背面ケース１２に対してアンテナパターンを離間させて支持する手段の一例であり、アンテナパターンを押圧させないように支持する。また、押圧支持部４６は、背面ケース１２からの押圧により圧縮変形する圧縮部の一例である。
【００５６】
背面ケース１２の内側には、たとえばアンテナ装置４２を係止させて収納する収納凹部５０が形成されている。この収納凹部５０は、たとえば基板８の端子２０と接続させるアンテナ装置４２の配置位置に合わせて形成されている。背面ケース１２には、たとえばアンテナ装置４２の側面側の一部または全部に接触して係止させる立壁部５２が形成される。収納凹部５０は、たとえば立壁部５２や背面ケース１２の一部で形成され、固定支持部４４を収納する第１の収納部５４と、立壁部５２で形成され、押圧支持部４６を収納する第２の収納部５６を備えている。
【００５７】
収納凹部５０は、たとえば第１の収納部５４の横幅および縦幅が固定支持部４４の横幅および縦幅と同等または狭小に形成され、第２の収納部５６の横幅および縦幅が押圧支持部４６の横幅および縦幅と同等または狭小に形成されている。つまりアンテナ装置４２は、既述のように収納凹部５０内に対して圧入される。
【００５８】
＜アンテナ装置の構成例について＞
【００５９】
図７に示すアンテナ装置４２は、たとえば単一または複数本のアンテナエレメント１４を備え、このアンテナエレメント１４の一端側に弾性変形可能な板バネ状に形成された端子部１６を備えている。このアンテナ装置４２では、たとえば携帯端末装置４０の外部側に向けてアンテナパターンが形成されたアンテナエレメント１４に対し、端子部１６が背面側に形成されている。端子部１６は、アンテナエレメント１４の一部を屈曲させることで、アンテナパターンが形成された部分に対して配置高さを異ならせている。
【００６０】
固定支持部４４および押圧支持部４６は、既述のアンテナ支持部の一例である。固定支持部４４は、たとえば一面側をアンテナエレメント１４に沿って設置させる溝部５８が形成されている。また、固定支持部４４の一部および押圧支持部４６は、たとえば端子部１６の周囲を覆って支持する開口部６０が形成されている。
【００６１】
アンテナ装置４２は、図８のＡに示すように、アンテナエレメント１４が溝部５８内に設置されるとともに、端子部１６が開口部６０を通じて押圧支持部４６側に収納される。アンテナエレメント１４は、たとえばアンテナパターンが形成された部分を固定支持部４４の一面に対して面一状態または内側に収納される状態で支持される。また、端子部１６は、たとえば図８のＢに示すように押圧支持部４６の内部に配置されるとともに、一部を屈曲させて押圧支持部４６の下面側から先端部分が突出している。押圧支持部４６の下面側に形成される開口部６０は、たとえば端子部１６が基板８の端子２０（図６）との接触によって上部側に押上げられた場合、端子部１６が押圧支持部４６内に収納可能な長さに形成されている。
【００６２】
固定支持部４４および押圧支持部４６は、たとえば設置されるアンテナエレメント１４の形状に応じて前後方向に位置付けて配置されるとともに、端子部１６の高さや収納凹部５０の形状などに応じて、高さを異ならせて形成されている。これによりアンテナ装置４２は、たとえば端子部１６側の上下部またはその周辺への押圧による変形がアンテナエレメント１４側の形状に影響させない構造となっている。
【００６３】
図９、図１０、図１１は、アンテナ装置の設置処理について示している。図９ないし図１１に示す構成は一例である。
【００６４】
＜背面ケースに対するアンテナ装置の設置について＞
【００６５】
図９に示すアンテナ装置４２は、たとえば背面ケース１２の第１の収納部５４側に固定支持部４４が配置され、第２の収納部５６側に押圧支持部４６が配置され、端子部１６側から背面ケース１２側向けて圧入される。これによりアンテナ装置４２は、たとえば背面ケース１２の側面側と立壁部５２との間で係止される。
【００６６】
この第１の収納部５４には、たとえば圧入されたアンテナ装置４２に対し、所定の長さＸの空間部６２が形成されるように固定支持部４４の高さや立壁部５２が設定されている。また、第２の収納部５６には、たとえば立壁部５２の一部をアンテナ装置４２側に突出させて押圧支持部４６の上部側の一部に接触させる押圧部６４が形成されている。
【００６７】
押圧部６４は、背面ケース１２から押圧支持部４６を押圧させる手段の一例であり、たとえば押圧部６４の突出量により第１の収納部５４側の空間部６２の長さが設定される。この空間部６２は、背面ケース１２側から固定支持部４４側への押圧を回避させる手段の一例であり、たとえばアンテナ装置４２の高さＤ（図４）と、背面ケース１２と基板８との間の距離ｄ（図４）との差に基づいて設定してもよい。
【００６８】
＜アンテナ装置と基板との設置位置の設定について＞
【００６９】
通信端末装置４０の組立て処理では、たとえば図１０に示すように背面ケース１２側にアンテナ装置４２が圧入されると、端子部１６の位置に合わせて基板８の配置位置が設定される。このとき、基板８は、たとえば端子部１６と接続させる端子２０の位置を基準に配置位置が設定されればよい。この基板８は、たとえば基板８を単独でアンテナ装置４２に対する配置位置が設定されてもよく、または基板８が設置される前面ケース１０を介して配置位置が設定されてもよい。
【００７０】
なお、アンテナ装置４２は、たとえば基板８との配置位置の設定時に、押圧支持部４６と押圧部６４とを接触させない状態としてもよく、または押圧支持部４６を押圧部６４に接触させるまで圧入させてもよい。
【００７１】
＜アンテナ装置の押圧状態について＞
【００７２】
そして、アンテナ装置４２に対して基板８の配置位置が設定されると、図１１に示すように通信端末装置４０は、背面ケース１２と前面ケース１０とが接合される。この接合によりアンテナ装置４２は、たとえば端子部１６が突出した下面側に対して端子２０を含む基板８の一部が接触して、背面ケース１２側に向けて押圧される。これによりアンテナ装置４２は、たとえば押圧支持部４６の上面側が押圧部６４に接触して押し付けられる状態となる。このとき押圧支持部４６は、たとえば基板８と押圧部６４との間の押圧によって、所定の圧縮量ΔＸの圧縮状態となる。
【００７３】
また、固定支持部４４は、基板８から背面ケース１２側に向けて押圧されると、たとえば空間部６２内を背面ケース１２側に向けて移動する。これにより空間部６２は、たとえば固定支持部４４の上部側と背面ケース１２とが接触することで長さＸが０となる。つまり空間部６２の長さＸは、たとえば押圧支持部４６と押圧部６４との間の空間部分の長さおよび押圧支持部４６の圧縮量ΔＸ分とで構成される。なお、押圧支持部４６は、たとえば背面ケース１２への圧入時に背面ケース１２側に接触状態となるように設置してもよい。
【００７４】
そして、アンテナ装置４２は、たとえば端子部１６が基板８側からの押圧と押圧支持部４６の圧縮変形により、開口部６０から押圧支持部４６内に収納されるとともに、基板８の端子２０と接触する。またアンテナ装置４２は、押圧支持部４６が基板８と押圧部６４との間で圧縮変形することで上下面が圧着状態となる。またアンテナ装置４２は、立壁部５２と背面ケース１２の側面部との間に圧入されることで、基板８に対して設置位置が固定される。
【００７５】
なお、押圧支持部４６の下面側の開口部６０は、たとえば端子部１６の長さよりも短く形成してもよい。既述のように、端子部１６が基板８の端子２０との接触によって上部側に押上げられた場合、端子部６０を押圧支持部４６内に収納させるものに限られない。端子部１６は、たとえば基板８の端子２０との接触によって押上げられた場合、押圧支持部４６側に対して押し付けられる構造としてもよい。これにより端子部１６は、アンテナ装置４２から基板側に向けて突出した状態となり、基板８の端子２０との接触が可能な状態に維持される。また、端子部１６は、上部側で接触する押圧支持部４６が弾性変形することで、適切な押圧状態に維持され、破損などを防止できる。
【００７６】
斯かる構成によれば、アンテナ装置４２は、アンテナ支持部の内、端子部１６側のみを基板８と背面ケース１２との間で押圧させて圧縮変形させることで、端子部１６を基板８の端子２０に対して圧着状態に維持させて端子部１６の接続性を確保することができる。また、アンテナ支持部１８を基板８と背面ケース１２からの押圧によって弾性変形させ、収納凹部５０内に密着させることで、アンテナ装置４２の設置にネジなどの固定手段が不要となる。アンテナ装置４２を基板８に対して直接接触させて圧縮変形させることで、アンテナ装置４２は、基板８への設置に固定手段などを用いる必要がなくなる。また、アンテナ装置４２は、アンテナパターンが形成された部分に対して、基板８や背面ケース１２側からの押圧を回避させることで、アンテナパターンの変形などを防止し、アンテナ特性の低下を防止することができる。
【００７７】
〔第４の実施の形態〕
【００７８】
図１２は、第４の実施の形態に係る通信端末装置の構成例を示している。図１２に示す構成は一例である。
【００７９】
＜通信端末装置の構成例について＞
【００８０】
図１２に示す通信端末装置７０は、本開示の通信端末装置または電子機器の一例であり、たとえば前面ケース７２と背面ケース７４とを接合させている。また背面ケース７４の背面側には、たとえば背面ケース７４の背面側に設置される機能部品を覆う背面カバー７６が設置される。背面ケース７４の一端側には、たとえば弾性変形する支持部材で支持されるアンテナ装置７８が設置される。
【００８１】
前面ケース７２には、たとえば背面ケース７４との対向面側である通信端末装置７０の内側の中央部側に単一または複数の基板８が設置されている。また前面ケース７２には、たとえば基板８の周囲側に、背面ケース７４と締結させる固定ネジ８６が締結される締結孔８０が形成されている。基板８には、たとえばアンテナ装置７８と接続される端子２０が実装されるほか、カメラ８２などが設置されてもよい。
【００８２】
背面ケース７４には、たとえば前面ケース７２の締結孔８０と対向した位置に固定ネジ８６を貫通させる貫通孔８４が形成されている。アンテナ装置７８は、たとえば前面ケース７２と背面ケース７４とが固定ネジ８６によって締結されることで、所定の押圧状態が維持される。
【００８３】
背面ケース７４には、たとえば基板８に設置されたカメラ８２を配置させるカバー部８８などが設置されるほか、テレビ用のアンテナや通信端末装置７０の電力を供給するバッテリなどが収納される収納部などが形成されてもよい。
【００８４】
背面カバー７６は、たとえば背面ケース７４に対し、側面部分などに形成した爪部品などを係止させて設置される。背面カバー７６は、たとえば背面ケース７４と同一の部材で構成されればよく、カメラ８２を配置させる窓部９０が形成されている。
【００８５】
＜アンテナ装置の一例について＞
【００８６】
図１３は、アンテナ装置の構成例を示している。図１３に示す構成は一例である。
【００８７】
図１３のＡに示すアンテナ装置７８は、たとえばフレキシブル基板９２上に、所定の長さおよび形状で銅箔のアンテナパターン９４が形成されている。このフレキシブル基板９２は、たとえば弾性変形可能な樹脂部材で構成された固定支持部９６の一面に接着剤や両面テープなどを介して設置されている。固定支持部９６は、たとえばフレキシブル基板９２を背面ケース７４の側面側に配置させるように立壁状に形成されている。アンテナ装置７８の両端側には、たとえばフレキシブル基板９２の端部を係止させる係止部９８、１００が形成されている。この係止部９８、１００は、たとえば背面ケース７４の端面側の曲面部に応じて屈曲されており、その一部からフレキシブル基板９２の端部を巻き込んで係止させている。
【００８８】
また、アンテナ装置７８は、たとえば固定支持部９６の背面側の一部に、背面ケース７４の一部に係止させる係止部品１０２や、図１３のＢに示す端子部１０６を支持する押圧支持部１０４を備えている。端子部１０６は、たとえば固定支持部９６の上部側にフレキシブル基板９２を沿わせて押圧支持部１０４の背面側に配置されている。端子部１０６は、たとえば平面形状に形成されてもよく、またはフック状の先端部を形成してもよい。端子部１０６は、押圧支持部１０４の弾性変形に追従させて移動可能に設置されている。
【００８９】
＜背面ケース側の構成例について＞
【００９０】
図１４は、アンテナ装置が設置される背面ケース側の構成例を示している。
【００９１】
背面ケース７４の内側には、たとえば一端側に固定支持部９６が配置される固定収納部１１０や、その両端側に係止部９８、１００が係止される収納部１１２、１１４が形成されている。また、背面ケース７４の端部側の中央には、係止部品１０２を載置する載置面部１１６や係止部品１０２を係止させる係止片１１７、押圧支持部１０４を配置させる収納部１１８が形成されている。この収納部１１８には、たとえば押圧支持部１０４を背面ケース７４側から押圧するための押圧部として凸形状に形成してもよい。
【００９２】
図１５に示すように、アンテナ装置７８は、たとえば係止部品１０２が載置面部１１６に配置されると、係止部品１０２の一部が係止片１１７に係止されるとともに固定収納部１１０の内部に固定支持部９６が収納される。また係止部９８、１００が収納部１１２、１１４内に収納される。この固定収納部１１０、および収納部１１２、１１４の内部には、たとえば図示しない係止構造により、固定支持部９６や係止部９８、１００を係止させてもよい。また、この固定収納部１１０や収納部１１２、１１４は、たとえば背面ケース７４側から前面ケース７２側に向けて固定支持部９６や係止部９８、１００を突出させないように収納させている。これによりフレキシブル基板９２やアンテナパターン９４は、背面ケース７４と前面ケース７２とが接合した場合、基板８側に接触されないので、基板６や背面ケース７４側からの押圧により変形されない。
【００９３】
端子部１０６は、たとえば基板８の端子２０側に接触させる高さに突出しており、既述のように前面ケース７２と背面ケース７４との接合により、基板８と背面ケース７４との間で押圧される。これにより、押圧支持部１０４や端子部１０６は、たとえば弾性変形することで基板８側に対して圧着状態となる。
【００９４】
また、背面ケース７４には、たとえばアンテナ装置７８の設置位置の両端側に貫通孔８４を形成しており、アンテナ装置７８が、背面ケース７４に対して左右均等に押圧されるように設定されている。
【００９５】
＜前面ケースの構成例について＞
【００９６】
図１６は、前面ケースの構成例を示している。
【００９７】
図１６に示す前面ケース７２は、たとえば表示部１２０や操作部１２２などが設置されている。表示部１２０には、たとえばＬＣＤ（Liquid Crystal Display）表示器などを備えており、背面側に設置された基板８または図示しない表示用基板などに対してフレキシブルケーブルなどで接続されている。また操作部１２２は、たとえば複数の操作キーなどを備えており、基板８に対して接続されている。また、表示部１２０は、たとえば操作機能を備えたタッチパネルで構成してもよい。
【００９８】
次に、上記各実施形態について、その特徴事項を以下に列挙する。
【００９９】
(1)  本開示の通信端末装置は、筐体内部にアンテナ装置が収納される所謂内蔵アンテナが設置されている。このアンテナ装置は、周囲をシリコンゴムなどのゴム状の弾性体で覆われ、筐体と回路基板との間に圧縮されるように挟まれて設置される。内蔵アンテナに設けられた端子部は、たとえば圧縮方向に対して、弾性体より外側へ飛び出すように埋め込まれている。そして、端子部は、筐体と回路基板との間で押圧されて、樹脂などの弾性体が圧縮することで、回路基板に設けられた平坦な接点と電気的な接続を行う。これにより回路基板側の端子に弾性接続端子を必要としないので、通信端末装置の薄型化を実現できる。
【０１００】
(2) このアンテナ装置は、弾性体を筐体と回路基板とで圧縮して固定することにより、筐体に対してアンテナ装置を固定するためのネジが不要となり、実装スペースを確保することができる。
【０１０１】
(3)  通信端末装置は、筐体に内蔵アンテナを圧入する凹み部を設け、内蔵アンテナを圧入することにより、内蔵アンテナを配置する際に接続先の基板側の端子に対する位置決めが不要となる。
【０１０２】
(4)  内蔵アンテナは、回路基板との接続に対して直接接続される構成である。
【０１０３】
(5)  本開示の通信端末装置は、内蔵アンテナの性能を維持しつつ、携帯電話の小型化を図るとともに、製造コストの削減を図る。
【０１０４】
(6)  アンテナ装置は、エレメントを覆う弾性部材を基板と筐体である背面ケースとに圧着させることで、アンテナエレメントを直接回路基板に接触させるので、接触の信頼性を確保することができる。そして通信端末装置の薄型化に貢献できる。また、アンテナ装置は、弾性部材の圧着により固定するとともに筐体に対して圧入する構造により、ネジ止めや両面テープでの貼付が不要になり、組立の簡素化が図れる。
【０１０５】
(7)  アンテナ装置の高さは、基板と背面ケースとの間の距離よりも大きく構成されることで、アンテナ支持部を構成する弾性体が圧縮されて基板および背面ケースとの間に圧着状態となる。これにより通信端末装置は、たとえばアンテナ装置を基板側に直接接触させ、基板側にアンテナ装置の端子を迎える弾性端子部などを設置する必要が無くなるので、通信端末装置の薄型化を可能にする。
【０１０６】
〔その他の実施の形態〕
【０１０７】
(1) 上記実施の形態では、アンテナ装置６に対する係止手段として、背面ケース１２の一部にたとえばアンテナ装置６の周囲に立壁部３２を形成した収納凹部３０を備える場合を示したが、これに限られない。通信端末装置２では、たとえば図１７に示すように背面ケース１２の内側を凹ませた係止凹部１３０が形成され、アンテナ装置６の上部側の一部を係止させてもよい。斯かる構成によっても通信端末装置２の内部におけるアンテナ装置６の位置決め処理の簡易化やアンテナ装置６の設置性の向上を図ることができる。
【０１０８】
(2)  上記実施の形態では、アンテナ装置４２が背面ケース１２に設置されていない場合であっても、押圧支持部４６の下面側から端子部１６が常に突出された構成例を示したが、これに限られない。アンテナ装置４２は、たとえば背面ケース１２に設置される前であって、基板８や背面ケース１２側からの押圧を受けていない状態では、端子部１６が押圧支持部４６の内部に収納される構成であってもよい。押圧支持部４６は、たとえば図１８のＡに示すように、端子部１６を配置させる開口部１３２が形成されてもよい。
【０１０９】
アンテナ装置４２が背面ケース１２に設置されて押圧支持部４６が圧縮による状態変化した場合、開口部１３２は、たとえば内部に配置した端子部１６に対し、押圧された力や圧縮による移動などが影響させない構造となっている。これにより、アンテナ装置４２は、たとえば図１８のＢに示すように基板８および背面ケース１２側からの押圧を受けて押圧支持部４６が圧縮すると、端子部１６が基板８の端子２０側と接触する状態となる。
【０１１０】
斯かる構成によれば、背面ケース１２と基板８または前面ケース１０とによる押圧に対し、押圧支持部４６の圧縮変化や復元力を端子部１６に伝達させないので、アンテナエレメントの変位や変形を防止できる。また、押圧支持部４６の圧縮によりアンテナ装置４２を通信端末装置４０内に圧着させることができるので、固定部品の設置が不要であり、通信端末装置４０の薄型化に貢献できる。
【０１１１】
(3)  上記実施の形態では、アンテナ支持部１８は、単一の弾性部材で構成される場合を示したがこれに限られない。アンテナ支持部１８は、たとえば押圧されて変形させる押圧支持部４６のみを弾性部材で構成し、変形させないアンテナエレメントが設置される部分を絶縁性の硬質の樹脂やその他の部材で構成した複合部材を利用してもよい。これにより、アンテナ支持部１８は、たとえば基板８や背面ケース１２側に対して圧着させる部分のみ圧縮させてアンテナ装置の固定性および端子部１６の接触性を維持できる。また、アンテナ支持部１８は、たとえばアンテナエレメント１４などの変形させない部分を硬質の部材で支持することでアンテナ特性の維持や支持性を高めることができる。
【０１１２】
次に、以上述べた実施の形態に関し、更に以下の付記を開示する。以下の付記に本発明が限定されるものではない。
【０１１３】
（付記１）少なくとも伸縮方向に弾性変形可能なアンテナ支持部によって支持されたアンテナエレメントを備えるアンテナ装置と、
前記アンテナエレメントの端子部に接触して導通させる基板に対向して、前記アンテナ装置に接触する筐体と、
を備え、
前記アンテナ装置は、前記筐体と前記基板との間で押圧されて前記アンテナ支持部が弾性変形して、前記筐体と前記基板に圧着する、
ことを特徴とする通信端末装置。
【０１１４】
（付記２）前記筐体は、前記アンテナ支持部に対し、前記アンテナエレメントの前記端子部側およびその周囲部分を押圧することを特徴とする、付記１に記載の通信端末装置。
【０１１５】
（付記３）前記アンテナ支持部は、前記端子部およびアンテナパターンが形成されたアンテナエレメントに沿って設置され、または周囲を覆って構成されたことを特徴とする、付記１または付記２に記載の通信端末装置。
【０１１６】
（付記４）前記アンテナ装置は、アンテナ支持部の厚さが前記基板と前記筐体との間の距離よりも大きく形成されたことを特徴とする、付記１ないし付記３のいずれかに記載の通信端末装置。
【０１１７】
（付記５）前記筐体は、前記端子部側の前記アンテナ支持部を押圧する押圧部を形成したことを特徴とする、付記１ないし付記４のいずれかに記載の通信端末装置。
【０１１８】
（付記６）更に、前記筐体には、前記アンテナ装置の一部または全部に接触して係止する係止手段が形成され、
前記アンテナ装置は、前記係止手段内に圧入されることを特徴とする、
付記１ないし付記５のいずれかに記載の通信端末装置。
【０１１９】
（付記７）前記係止手段は、前記アンテナ装置との接触部分の周囲に立設した立壁部により形成されることを特徴とする、付記６に記載の通信端末装置。
【０１２０】
（付記８）前記端子部は、前記基板との接触面側に対し、前記アンテナ支持部から一部または全部が突出されたことを特徴とする、付記１ないし付記７のいずれかに記載の通信端末装置。
【０１２１】
（付記９）前記筐体は、前記アンテナ装置との接触面側に、前記端子部およびその周囲部分以外との間に空間部を形成することを特徴とする、付記１ないし付記８のいずれかに記載の通信端末装置。
【０１２２】
（付記１０）端子部およびアンテナパターンが形成されたアンテナエレメントと、
少なくとも伸縮方向に弾性変形可能な部材で構成され、アンテナエレメントに沿って設置され、または周囲を覆うアンテナ支持部と、
を備え、
前記アンテナエレメントの前記端子部に接触して導通させる端子部品と、該端子部品に対向して配置されて前記アンテナ支持部に接触する接触部品との間で押圧されて、前記接触部品と前記端子部品とに圧着する、
ことを特徴とするアンテナ装置。
【０１２３】
（付記１１）前記端子部は、前記アンテナパターンの周方向に変形させて配置され、
前記アンテナ支持部は、
前記端子部側に設置され、前記接触部品からの押圧により圧縮する圧縮部と、
前記アンテナパターンを支持し、前記接触部品から離間させて押圧されない支持部と、
を備えることを特徴とする、付記１０に記載のアンテナ装置。
【０１２４】
（付記１２）少なくとも伸縮方向に弾性変形可能なアンテナ支持部によって支持されたアンテナエレメントを備えるアンテナ装置と、
前記アンテナエレメントの端子部に接触して導通させる基板に対向して、前記アンテナ装置に接触する筐体と、
を備え、
前記アンテナ装置は、前記筐体と前記基板との間で押圧されて前記アンテナ支持部が弾性変形して、前記筐体と前記基板に圧着する、
ことを特徴とする電子機器。
【０１２５】
以上説明したように、本発明の好ましい実施形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【符号の説明】
【０１２６】
２、４０、７０  通信端末装置
４  外装ケース
６、４２、７８  アンテナ装置
８  基板
１０、７２  前面ケース
１２、７４  背面ケース
１４  アンテナエレメント
１６、１０６  端子部
１８  アンテナ支持部
２０  端子
３０、５０  収納凹部
３２、５２  立壁部
４４  固定支持部
４６、１０４  押圧支持部
５４  第１の収納部
５６  第２の収納部
５８  溝部
６０、１３２  開口部
６２  空間部
６４  押圧部
８０  締結孔
８６  固定ネジ
９２  フレキシブル基板
９４  アンテナパターン
９６  固定支持部
９８、１００  係止部
１０２  係止部品
１１０  固定収納部
１１２、１１４、１１８  収納部
１１６  載置面部
１１７  係止片
１３０  係止凹部
【図１】
2014110617.tif 000003
【図２】
2014110617.tif 000004
【図３】
2014110617.tif 000005
【図４】
2014110617.tif 000006
【図５】
2014110617.tif 000007
【図６】
2014110617.tif 000008
【図７】
2014110617.tif 000009
【図８】
2014110617.tif 000010
【図９】
2014110617.tif 000011
【図１０】
2014110617.tif 000012
【図１１】
2014110617.tif 000013
【図１２】
2014110617.tif 000014
【図１３】
2014110617.tif 000015
【図１４】
2014110617.tif 000016
【図１５】
2014110617.tif 000017
【図１６】
2014110617.tif 000018
【図１７】
2014110617.tif 000019
【図１８】
2014110617.tif 000020